(57)【特許請求の範囲】
【請求項１】
アノード側電極とカソード側電極とで固体電解質を挟んで形成され、前記固体電解質と前記カソード側電極の間に中間層が介装された電解質・電極接合体であって、
前記カソード側電極は、少なくとも、前記中間層に隣接する第１層と、前記第１層に隣接する第２層とを有し、
前記第１層は、ＢａxＳｒ1-xＣｏyＦｅ1-yＯ3、ＬａxＳｒ1-xＣｏyＦｅ1-yＯ3、又はＬａxＳｒ1-xＣｏＯ3で表されるペロブスカイト型複合酸化物からなり、且つ前記第２層に臨む側の端面に、前記第１層の出発材料を焼成処理することによって形成された凹部が存在するとともに、前記第２層に比して気孔率が小さい緻密体であり、
前記第２層は、前記第１層の前記凹部に進入した凸部を有するとともに、酸化剤ガスが流通するための気孔を有する多孔質体であることを特徴とする電解質・電極接合体。
【請求項２】
請求項１記載の電解質・電極接合体において、前記第１層の前記凹部と前記第２層の前記凸部とを含めた前記第１層と前記第２層の接触界面を実接触界面とし、前記第１層の前記凹部と前記第２層の前記凸部が存在しないと仮定して前記凹部以外の部位と前記凸部以外の部位との間に引かれた境界線を仮想境界線とするとき、前記実接触界面の長さは、前記仮想境界線の長さの１４０〜２００％であることを特徴とする電解質・電極接合体。
【請求項３】
請求項１又は２記載の電解質・電極接合体において、前記第１層の相対密度が９５％以上であることを特徴とする電解質・電極接合体。
【請求項４】
請求項１〜３のいずれか１項に記載の電解質・電極接合体において、前記中間層が多孔質体であるとき、前記第１層は、前記中間層における前記第１層に臨む側の端面で開口した気孔を充填することを特徴とする電解質・電極接合体。
【請求項５】
請求項１〜４のいずれか１項に記載の電解質・電極接合体において、前記中間層がセリウム系酸化物からなり、且つ前記第２層がＢａxＳｒ1-xＣｏyＦｅ1-yＯ3、ＬａxＳｒ1-xＣｏyＦｅ1-yＯ3、又はＬａxＳｒ1-xＣｏＯ3で表されるペロブスカイト型複合酸化物からなることを特徴とする電解質・電極接合体。
【請求項６】
請求項１〜５のいずれか１項に記載の電解質・電極接合体において、前記第１層の厚みが０．２〜１０μｍであり、且つ前記第２層の厚みが５〜５０μｍであることを特徴とする電解質・電極接合体。
【請求項７】
請求項１〜６のいずれか１項に記載の電解質・電極接合体において、前記中間層の厚みが０．１〜５μｍであることを特徴とする電解質・電極接合体。
【請求項８】
アノード側電極とカソード側電極とで固体電解質を挟んで形成され、前記固体電解質と前記カソード側電極の間に中間層が介装された電解質・電極接合体の製造方法であって、
前記固体電解質の一端面に直接、又は中間層を介してアノード側電極を設けた後、前記固体電解質の残余の他端面に中間層を介して、あるいは、アノード側電極の一端面に直接、又は中間層を介して前記固体電解質を設けた後、該固体電解質上に中間層を介して、前記カソード側電極を、少なくとも、前記中間層に隣接する第１層と、前記第１層に隣接する第２層とを有するものとして形成する工程を有し、
前記第１層を、ＢａxＳｒ1-xＣｏyＦｅ1-yＯ3、ＬａxＳｒ1-xＣｏyＦｅ1-yＯ3、又はＬａxＳｒ1-xＣｏＯ3で表されるペロブスカイト型複合酸化物からなり、且つ前記第２層に臨む側の端面に、前記第１層の出発材料を焼成処理することによって形成された凹部が存在するとともに、前記第２層に比して気孔率が小さい緻密体として形成し、且つ前記第２層を、前記第１層の前記凹部に進入した凸部を有するとともに、酸化剤ガスが流通するための気孔を有する多孔質体として形成することを特徴とする電解質・電極接合体の製造方法。
【請求項９】
請求項８記載の製造方法において、一次粒子が２０〜８０ｎｍであり且つ二次粒子が０．１〜０．２μｍである粒子を用いて前記第１層を形成するとともに、平均粒径が０．５〜１．２μｍである粒子を用いて前記第２層を形成することを特徴とする電解質・電極接合体の製造方法。
【請求項１０】
請求項８又は９記載の製造方法において、前記中間層を、粒子から成形体を設けた後、前記成形体を仮焼結させることで多孔質体として形成し、且つ前記中間層の一端面に存在する開口した気孔を、前記第１層で充填することを特徴とする電解質・電極接合体の製造方法。
【請求項１１】
請求項８〜１０のいずれか１項に記載の製造方法において、前記中間層をセリウム系酸化物から形成し、且つ前記第２層をＢａxＳｒ1-xＣｏyＦｅ1-yＯ3、ＬａxＳｒ1-xＣｏyＦｅ1-yＯ3又はＬａxＳｒ1-xＣｏＯ3で表されるペロブスカイト型複合酸化物から形成することを特徴とする電解質・電極接合体の製造方法。
【請求項１２】
請求項８〜１１のいずれか１項に記載の製造方法において、前記第１層の厚みを０．２〜１０μｍとして形成するとともに、前記第２層の厚みを５〜５０μｍとして形成することを特徴とする電解質・電極接合体の製造方法。
【請求項１３】
請求項８〜１２のいずれか１項に記載の製造方法において、前記中間層の厚みを０．１〜５μｍとして形成することを特徴とする電解質・電極接合体の製造方法。
【請求項１４】
請求項８〜１３のいずれか１項に記載の製造方法において、前記中間層をスクリーン印刷又はスパッタリングで形成することを特徴とする電解質・電極接合体の製造方法。
【発明の詳細な説明】
【技術分野】
【０００１】
本発明は、電解質・電極接合体及びその製造方法に関し、一層詳細には、１組のセパレータ間に介装された燃料電池の単位セルを構成するに好適な電解質・電極接合体及びその製造方法に関する。
【背景技術】
【０００２】
固体電解質型燃料電池（ＳＯＦＣ）の単位セルは、基本的には、特許文献１、２等に記載されるように、固体電解質をアノード側電極とカソード側電極とで挟んで構成される電解質・電極接合体（ＭＥＡ）が１組のセパレータ間に介装されることで構成される。前記アノード側電極の材質としては、Ｎｉ−Ｙ２Ｏ３安定化ＺｒＯ２（ＹＳＺ）のサーメットが主流である。また、前記固体電解質の材質としては、酸化物イオン（Ｏ２−）伝導度が高いものが採用され、特に、ＹＳＺが好適に選定される。
【０００３】
一方、カソード側電極には、イオン伝導度及び電子伝導度の双方が高いこと、酸素のカソード側電極で起こる電極反応、すなわち、酸素の解離反応に対して触媒活性を有すること、熱力学的に安定で他の物質（酸化剤ガスや固体電解質等）に対して反応を起こし難いこと、酸化剤ガスを十分に流通させるために多孔性であり発電中に焼結し難いこと、機械的強度が高いことが求められる。この観点から、カソード側電極の材質として、ＬａＭＯ３（Ｍ＝Ｍｎ、Ｃｏ、Ｆｅ）で表されるペロブスカイト型複合酸化物が選定されることがある。
【０００４】
この種のペロブスカイト型複合酸化物の中、ＬａＣｏＯ３や、Ｌａの一部をＳｒで置換したＬａｘＳｒ１−ｘＣｏＯ３（いわゆる「ＬＳＣ」）、Ｃｏの一部をＦｅで置換したＬａｘＳｒ１−ｘＣｏｙＦｅ１−ｙＯ３（いわゆる「ＬＳＣＦ」）を用いてカソード側電極を形成した場合、ＳＯＦＣの過電圧を低減し得る。また、特許文献２では、Ｌａの一部をＳｒで置換した（Ｌａ，Ｓｒ）ＭｎＯ３からカソード側電極を構成している。
【０００５】
ところで、ＬＳＣ又はＬＳＣＦ中のＬａやＳｒは、ＭＥＡの製造過程で焼成処理を施したときや、ＳＯＦＣの運転中、すなわち、高温時に、固体電解質をなすＹＳＺ中のＺｒと反応を起こす可能性がある。このような事態が生じると、高抵抗の反応生成物層を形成して導電性を低下させてしまう。
【０００６】
これを回避するべく、特許文献３及び非特許文献１に記載されるように、反応防止層としての中間層を介装することが行われている。なお、これら特許文献３及び非特許文献１においては、ＣｅＯ２系酸化物（例えば、Ｓｍ２Ｏ３をドープしたＣｅＯ２）を中間層の材質として選定している。
【０００７】
しかしながら、特許文献３及び非特許文献１に特に言及されていないものの、ＣｅＯ２系酸化物は、アノード側電極をなすＮｉ−ＹＳＺ、固体電解質をなすＹＳＺ、カソード側電極をなす前記ペロブスカイト型複合酸化物に比して焼結し難い。換言すれば、難焼結性である。
【０００８】
ＣｅＯ２系酸化物からなる中間層を十分に焼結して緻密化させるには、焼成温度を高くすればよい。しかしながら、この場合、中間層の材質であるＣｅＯ２系酸化物と、電解質の材質との間で相互拡散が起こり、電気特性の低下を招いてしまう。
【０００９】
これを回避するために焼成温度を低くすると、中間層が十分に緻密化しなくなる。すなわち、気孔を多く含む多孔質体となる。この中間層におけるカソード側電極に臨む側の端面でも気孔が開口するが、この開口部分はカソード側電極に対して接触しない。すなわち、この場合、中間層とカソード側電極との接触面積が小さくなる。このような事態が生じると、過電圧が大きくなり、カソード側電極における電気特性が低下してしまう。
【００１０】
そこで、特許文献１、２、４、５に記載されるように、電解質に近接するにつれて電極の緻密度を大きくすることが想起される。
【先行技術文献】
【特許文献】
【００１１】
【特許文献１】欧州特許第０７２２１９３号明細書
【特許文献２】特公平７−１１８３２７号公報
【特許文献３】特開２００３−３３１８６６号公報
【特許文献４】特許第２８４１５２８号公報
【特許文献５】特許第２９４０００８号公報
【非特許文献】
【００１２】
【非特許文献１】固体酸化物形燃料電池：ＳＯＦＣの開発  株式会社シーエムシー出版発行  第１７１頁  ２００５年１０月３１日
【発明の概要】
【発明が解決しようとする課題】
【００１３】
特許文献１、２、４、５記載の従来技術は、電解質と、多孔質体であるカソード側電極又はアノード側電極との接触面積を向上させたり、又は、Ｎｉや白金等によって電気的パスを設けたりするものであるに留まる。また、これら特許文献１、２、４、５には、固体電解質とカソード側電極の間に中間層を設けることについて、何ら記載がない。
【００１４】
従って、特許文献１、２、４、５記載の従来技術は、中間層を設ける場合に発生する上記の課題を何ら解決し得るものではない。
【００１５】
本発明は上記した問題を解決するためになされたもので、中間層が存在する場合にカソード側電極における電気特性を維持し得る電解質・電極接合体及びその製造方法を提供することを目的とする。
【課題を解決するための手段】
【００１６】
前記の目的を達成するために、本発明は、アノード側電極とカソード側電極とで固体電解質を挟んで形成され、前記固体電解質と前記カソード側電極の間に中間層が介装された電解質・電極接合体であって、
前記カソード側電極は、少なくとも、前記中間層に隣接する第１層と、前記第１層に隣接する第２層とを有し、
前記第１層は、ＢａxＳｒ1-xＣｏyＦｅ1-yＯ3、ＬａxＳｒ1-xＣｏyＦｅ1-yＯ3、又はＬａxＳｒ1-xＣｏＯ3で表されるペロブスカイト型複合酸化物からなり、且つ前記第２層に臨む側の端面に、前記第１層の出発材料を焼成処理することによって形成された凹部が存在するとともに、前記第２層に比して気孔率が小さい緻密体であり、
前記第２層は、前記第１層の前記凹部に進入した凸部を有するとともに、酸化剤ガスが流通するための気孔を有する多孔質体であることを特徴とする。
【００１７】
本発明においては、カソード側電極を少なくとも２層以上の多層構造とするとともに、中間層に隣接する第１層を緻密体として中間層に対する第１層の接触面積を大きくし、且つ第１層の凹部（開口した気孔等）を第２層の凸部で充填することで第１層と第２層の接触面積を大きくするようにしている。以上のように、中間層と第１層との接触面積、及び第１層と第２層との接触面積が十分に確保されることから、カソード側電極における電気特性を維持することができるようになる。
【００１８】
なお、第１層の凹部と第２層の凸部とを含めた第１層と第２層の接触界面を実接触界面とし、第１層の凹部と第２層の凸部が存在しないと仮定して凹部以外の部位と凸部以外の部位との間に引かれた境界線を仮想境界線とするとき、実接触界面の長さは、仮想境界線の長さの１４０〜２００％であることが好ましい。１４０％未満であると、第１層と第２層との接触面積が十分でなくなることが懸念される。また、２００％超であることは、第１層が多孔質体となることを意味する。従って、中間層に対する第１層の接触面積が十分でなくなることが懸念される。
【００１９】
第１層の相対密度は、９５％以上であることが好ましい。第１層の相対密度が過度に小さいと、上記したように中間層と第１層との接触面積が十分でなくなる懸念があるからである。
【００２０】
中間層は、多孔質体であってもよい。この場合、該中間層における第１層に臨む側の端面で開口した気孔が、第１層によって充填される。従って、この場合においても、中間層と第１層との接触面積が確保される。
【００２１】
中間層の好適な材質としては、セリウム（ＣｅＯ２）系酸化物を挙げることができる。この場合、第２層の好適な材質としては、ＢａｘＳｒ１−ｘＣｏｙＦｅ１−ｙＯ３、ＬａｘＳｒ１−ｘＣｏｙＦｅ１−ｙＯ３、又はＬａｘＳｒ１−ｘＣｏＯ３で表されるペロブスカイト型複合酸化物が挙げられる。
【００２２】
第１層の厚みは、０．２〜１０μｍ程度で十分である。また、第２層は実質的にガス拡散層として機能するので、酸化剤ガスが容易に拡散し得る厚みであることが好ましい。この観点から、第２層の厚みは５〜５０μｍに設定することが好ましい。
【００２３】
一方、中間層の厚みは、固体電解質とカソード側電極との相互反応を防止し得る程度であればよく、具体的には、０．１〜５μｍが好適である。
【００２４】
また、本発明は、アノード側電極とカソード側電極とで固体電解質を挟んで形成され、前記固体電解質と前記カソード側電極の間に中間層が介装された電解質・電極接合体の製造方法であって、
前記固体電解質の一端面に直接、又は中間層を介してアノード側電極を設けた後、前記固体電解質の残余の他端面に中間層を介して、あるいは、アノード側電極の一端面に直接、又は中間層を介して前記固体電解質を設けた後、該固体電解質上に中間層を介して、前記カソード側電極を、少なくとも、前記中間層に隣接する第１層と、前記第１層に隣接する第２層とを有するものとして形成する工程を有し、
前記第１層を、ＢａxＳｒ1-xＣｏyＦｅ1-yＯ3、ＬａxＳｒ1-xＣｏyＦｅ1-yＯ3、又はＬａxＳｒ1-xＣｏＯ3で表されるペロブスカイト型複合酸化物からなり、且つ前記第２層に臨む側の端面に、前記第１層の出発材料を焼成処理することによって形成された凹部が存在するとともに、前記第２層に比して気孔率が小さい緻密体として形成し、且つ前記第２層を、前記第１層の前記凹部に進入した凸部を有するとともに、酸化剤ガスが流通するための気孔を有する多孔質体として形成することを特徴とする。
【００２５】
このような過程を経ることによって、中間層と第１層との接触面積、及び第１層と第２層の接触面積を十分に大きくすることができる。このため、カソード側電極の電気化学的特性を確保することができる。
【００２６】
なお、緻密な第１層と多孔質な第２層を得るためには、例えば、第１層の出発材料として小粒径のものを選定し、且つ第２層の出発材料として大粒径のものを選定すればよい。この場合の具体例としては、第１層を形成する際には一次粒子が２０〜８０ｎｍであり且つ二次粒子が０．１〜０．２μｍである粒子を用いるとともに、第２層を形成する際には平均粒径が０．５〜１．２μｍである粒子を用いることを挙げることができる。
【００２７】
上記したように、中間層は多孔質体であってもよい。この場合、中間層は、先ず、粒子から成形体を設け、その後、前記成形体を仮焼結させることで得ることができる。そして、該中間層の一端面に存在する開口した気孔を前記第１層で充填すればよい。
【００２８】
また、上記したように、中間層は、例えば、ＣｅＯ２系酸化物を用いて形成することができる。一方、カソード側電極を構成する第２層は、ＢａｘＳｒ１−ｘＣｏｙＦｅ１−ｙＯ３、ＬａｘＳｒ１−ｘＣｏｙＦｅ１−ｙＯ３又はＬａｘＳｒ１−ｘＣｏＯ３で表されるペロブスカイト型複合酸化物を用いて形成することが可能である。
【００２９】
さらに、前記接触面積を確保し且つ焼成処理時にクラックが発生する懸念を払拭するべく、第１層の厚みを０．２〜１０μｍに設定することが好ましい。併せて、十分な量の酸化剤ガスが容易に拡散し得るようにするべく、第２層の厚みを５〜５０μｍに設定することが好ましい。
【００３０】
さらにまた、固体電解質と第１層との相互反応を防止するとともに、電解質・電極接合体の電気抵抗を上昇させないという観点から、中間層の厚みを０．１〜５μｍに設定することが好ましい。
【００３１】
中間層は、スクリーン印刷又はスパッタリングによって形成することが好適である。この場合、シート状成形体から中間層を形成したときよりも電気的特性が良好な電解質・電極接合体が得られる傾向があるからである。
【発明の効果】
【００３２】
本発明においては、中間層に隣接する緻密な第１層と、該第１層に隣接する多孔質な第２層とを具備するカソード側電極を設けるに際し、第１層の凹部（開口した気孔等）を第２層の凸部で充填するようにしている。このため、第１層と第２層との接触面積が十分に確保されるようになり、その結果、第１層と第２層の間で電荷が迅速に授受される。従って、カソード側電極に優れた電気的特性を発現させることができる。
【図面の簡単な説明】
【００３３】
【図１】本発明の実施の形態に係る電解質・電極接合体（ＭＥＡ）の概略全体断面説明図である。
【図２】図１のＭＥＡの要部拡大図である。
【図３】図２とは別部位のＭＥＡの要部拡大図である。
【図４】別の実施の形態に係るＭＥＡの概略全体断面説明図である。
【図５】実施例１〜４及び比較例１〜４のＭＥＡにおける中間層及びカソード側電極の第１層、第２層の諸物性を示した図表である。
【図６】実施例２、３及び比較例１、２、４の各ＭＥＡの電流密度−放電電圧曲線である。
【図７】実施例２及び比較例２、４のＭＥＡのコール−コールプロットである。
【図８】図７の要部拡大図である。
【図９】図１０に示されるコール−コールプロットの第１部分、第２部分及び第３部分の各々における複素インピーダンス、及びその合計値を示す図表である。
【図１０】図９の第１部分、第２部分及び第３部分の定義を説明する定義説明図である。
【発明を実施するための形態】
【００３４】
以下、本発明に係る電解質・電極接合体及びその製造方法につき好適な実施の形態を挙げ、添付の図面を参照して詳細に説明する。なお、以下における気孔率の数値は全て、酸化ニッケルを還元した後の値を示す。
【００３５】
図１は、本実施の形態に係る電解質・電極接合体（ＭＥＡ）１０の概略全体断面説明図である。このＭＥＡ１０は、アノード側電極１２とカソード側電極１４との間に固体電解質１６が介装されて構成されており、アノード側電極１２の厚みが最大であるアノード側電極支持型のもの（いわゆる「ＡＳＣ」）である。なお、カソード側電極１４と固体電解質１６との間には、中間層１８が介装されている。
【００３６】
アノード側電極１２の材質としては、好適には、Ｎｉと、Ｙ２Ｏ３安定化ＺｒＯ２（ＹＳＺ）とのサーメットが選定される。又は、ＮｉとＳｃ２Ｏ３安定化ＺｒＯ２（ＳＳＺ）とのサーメット、ＮｉとＹ２Ｏ３ドープＣｅＯ２（ＹＤＣ）とのサーメット、ＮｉとＳｍ２Ｏ３ドープＣｅＯ２（ＳＤＣ）とのサーメット、ＮｉとＧｄ２Ｏ３ドープＣｅＯ２（ＧＤＣ）とのサーメット等であってもよい。
【００３７】
このような材質からなるＡＳＣのアノード側電極１２の厚みは、２００〜８００μｍ程度、好ましくは６００μｍ程度に設定される。
【００３８】
また、固体電解質１６は、例えば、Ｙ２Ｏ３が８ｍｏｌ％添加されたＹ２Ｏ３安定化ＺｒＯ２（８ＹＳＺ）からなる。
【００３９】
中間層１８は、カソード側電極１４に含まれる元素が固体電解質１６中に拡散すること、換言すれば、カソード側電極１４と固体電解質１６が相互反応を起こすことを防止する役割を果たす。すなわち、中間層１８は、反応防止層として機能する。中間層１８の厚みは、この反応防止機能を営める程度であればよく、具体的には０．１〜５μｍ程度で十分である。
【００４０】
中間層１８の材質は、このような機能を営むものであれば特に限定されるものではないが、好適には、Ｓｍ２Ｏ３ドープＣｅＯ２（ＳＤＣ）、Ｙ２Ｏ３ドープＣｅＯ２（ＹＤＣ）、Ｇｄ２Ｏ３ドープＣｅＯ２（ＧＤＣ）、Ｌａ２Ｏ３ドープＣｅＯ２（ＬＤＣ）が挙げられる。特には、Ｓｍ２Ｏ３を１０〜２０ｍｏｌ％ドープしたＣｅＯ２（１０〜２０ＳＤＣ）が用いられる。
【００４１】
中間層１８には、Ｚｒが含まれることがある。この理由は、中間層１８を焼き付ける際の加熱によって固体電解質１６に含まれるＺｒが活性化され、中間層１８に拡散するためであると推察される。
【００４２】
中間層１８にＺｒが過度に含まれる場合、上記したように、カソード側電極１４がＬＳＣ又はＬＳＣＦ等のペロブスカイト型複合酸化物からなる場合、ＬａやＳｒ等がＺｒと反応を起こす可能性がある。このため、中間層１８としては、ＸＰＳ等の分析機器によって求められるＺｒの拡散量が４０原子％以下であるものが好適に選定される。なお、中間層１８中のＺｒの拡散量は、下記の式（１）によって算出される。
Ｚｒの拡散量＝Ｚｒ／（Ｃｅ＋Ｚｒ）  …（１）
【００４３】
Ｚｒの拡散量は、例えば、中間層１８を焼き付ける際の焼成処理温度によって制御することが可能である。
【００４４】
この中間層１８は、図２に模式的に示すように、気孔２０を多く含む多孔質体である。すなわち、上記したようなＣｅＯ２系酸化物は難焼結性であり、このため、後述する焼成処理において、緻密化が十分に進行しないからである。
【００４５】
中間層１８の気孔径は、走査型電子顕微鏡（ＳＥＭ）の視野として確認される二次元断面の開口径の長径と短径の平均値として定義される。このように定義される気孔径は、最大でも３μｍ程度である。なお、中間層１８の気孔率は、概ね２５〜４０％である。
【００４６】
図２に示すように、気孔２０の中には、カソード側電極１４に臨む側の端面で開口するものも存在する。上記したように、気孔径が最大でも３μｍ程度であるので、この開口した気孔２０の径も、最大で３μｍ程度である。
【００４７】
中間層１８上には、カソード側電極１４が積層される（図１参照）。ここで、カソード側電極１４は、中間層１８側から第１層２２ａ、第２層２２ｂがこの順序で積層された積層体からなる。従って、中間層１８上には第１層２２ａが隣接する。
【００４８】
第１層２２ａの一端部（図２における下方）は、中間層１８におけるカソード側電極１４に臨む側の端面で開口した気孔２０を充填する。このため、中間層１８と第１層２２ａとの接触面積が大きくなる。
【００４９】
第１層２２ａの好ましい厚みは、０．２〜１０μｍである。０．２μｍ未満では、開口した気孔２０を第１層２２ａで充填することが容易ではない。また、１０μｍを超えると、焼成処理時にクラックが発生する懸念がある。
【００５０】
ここで、第１層２２ａは、ＢａｘＳｒ１−ｘＣｏｙＦｅ１−ｙＯ３、ＬａｘＳｒ１−ｘＣｏＯ３又はＬａｘＳｒ１−ｘＣｏｙＦｅ１−ｙＯ３で表されるペロブスカイト型複合酸化物、すなわち、いわゆるＢＳＣＦ、ＬＳＣ又はＬＳＣＦからなり、第２層２２ｂに比して相対密度が大きな緻密体として形成される。なお、第１層２２ａの好ましい相対密度は、９５％以上である。
【００５１】
このような緻密な第１層２２ａを得るためには、ＢＳＣＦ等、易焼結性の出発材料を用いるようにすればよい。また、ＢＥＴ比表面積が高い粒子を用いるようにしてもよい。ＢＥＴ比表面積が高い粒子もまた、易焼結性であるからである。
【００５２】
以上のように、第１層２２ａが中間層１８の開口した気孔２０を充填することと、第１層２２ａが緻密体であることとが相俟って、中間層１８から第１層２２ａまでの導電経路が十分に確保される。
【００５３】
第１層２２ａには、図３に示すように、第２層２２ｂに臨む側の上端面（図３における上方）には、開気孔としての凹部２４が存在する。場合によっては、凹部２４が第２層２２ｂを貫通し、このために凹部２４内に中間層１８の上端面が露呈することもある。なお、この図３では、第１層２２ａが緻密体であり、且つ第２層２２ｂが多孔質体であることを表すべく、第１層２２ａを単純な層で示すとともに、第２層２２ｂに粒界を示している。
【００５４】
凹部２４の存在は、第１層２２ａの上端面をＳＥＭにて二次元的に観察することで確認される。この際の第１層２２ａの上端面全体の面積を１００％としたとき、該上端面に存在する凹部２４の全てを合計した面積の割合は、１０〜３０％程度である。換言すれば、第１層２２ａにおいて、緻密化部分の面積率は７０〜９０％である。
【００５５】
この凹部２４には、第２層２２ｂの下端部（図３における下方）から突出した凸部２６が進入する。すなわち、第１層２２ａの開気孔（凹部２４）は、第２層２２ｂによって充填される。このため、第１層２２ａと第２層２２ｂとの接触面積が大きくなる。その結果、第１層２２ａから第２層２２ｂに至る導電経路が十分に確保される。
【００５６】
以上から諒解されるように、本実施の形態によれば、中間層１８から第２層２２ｂに至るまでに十分な導電経路が形成される。中間層１８と第１層２２ａとの接触面積が十分に大きく、且つ第１層２２ａと第２層２２ｂとの接触面積も十分に大きいからである。
【００５７】
図３には、凹部２４と凸部２６を含めた第１層２２ａと第２層２２ｂの実接触界面を太実線で示すとともに、凹部２４と凸部２６を存在しないものとし、凹部２４以外の部位と凸部２６以外の部位との間に引いた境界線を太破線で示している。以降では、前者を実接触界面、後者を仮想境界線と表記し、各々の参照符号をＬ１、Ｌ２とする。
【００５８】
実接触界面Ｌ１の好ましい長さは、仮想境界線Ｌ２の長さの１４０〜２００％である。１４０％未満であると、第１層２２ａと第２層２２ｂとの接触面積が十分でなくなる可能性がある。また、２００％超であることは、凹部２４が過度に多数存在すること、換言すれば、第１層２２ａに気孔が過度に存在することを意味する。この場合、第１層２２ａと中間層１８との接触面積が十分でなくなる可能性がある。
【００５９】
第２層２２ｂは、カソード側電極１４に供給された酸化剤ガスを拡散するためのガス拡散層として機能する。従って、第２層２２ｂは、気孔率が２０〜３０％程度の多孔質体として設けられる。なお、気孔率が２０％未満であると、酸化剤ガスが拡散することが容易ではない。また、３０％を超えると強度が低下するので、破損が起こる懸念がある。
【００６０】
また、第２層２２ｂの好ましい厚みは、５〜５０μｍである。５μｍ未満であると、酸化剤ガスを供給し得る量が低減する。一方、５０μｍを超えると、酸化剤ガスが拡散することが容易でなくなる。
【００６１】
以上のように構成される第２層２２ｂは、上記したＢＳＣＦやＬＳＣＦ、又はＬＳＣ等のペロブスカイト型複合酸化物等によって形成することができる。
【００６２】
本実施の形態に係るＭＥＡ１０は基本的には以上のように構成されるものであり、次に、その作用効果につき、該ＭＥＡ１０を具備する燃料電池（ＳＯＦＣ）との関係で説明する。
【００６３】
ＳＯＦＣを構成する場合、上記したＭＥＡ１０をセパレータで挟んで単位セルを構成し、この単位セルを所定数積層してスタック化すればよい。その後、スタックの両端に位置する単位セルを１組のエンドプレートで挟み、さらに、これらエンドプレート同士をタイロッド等で緊締することによって、ＳＯＦＣが構成される。
【００６４】
そして、ＳＯＦＣの運転に先んじて、アノード側電極１２を構成するＮｉＯ−ＹＳＺに対して初期還元処理を施し、ＮｉＯをＮｉに変化させる。これに伴ってＮｉ−ＹＳＺからなるアノード側電極１２が得られ、ＭＥＡ１０が発電可能となる。
【００６５】
ＳＯＦＣを運転するに際しては、該ＳＯＦＣを所定温度に上昇させた後、各単位セルのアノード側電極１２に水素を含む燃料ガスが供給されるとともに、カソード側電極１４に酸素を含む酸化剤ガスが供給される。カソード側電極１４を構成する第２層２２ｂでは酸素の電離反応が起こり、これにより生じた酸化物イオンが第１層２２ａ、中間層１８及び固体電解質１６を介してアノード側電極１２側に移動する。
【００６６】
ここで、上記したように、本実施の形態では、第１層２２ａの開口した気孔（凹部２４）が第２層２２ｂの凸部２６によって充填され、且つ、中間層１８の開口した気孔２０が第１層２２ａによって充填されている。このため、第２層２２ｂと第１層２２ａとの接触面積が大きくなり、且つ第１層２２ａと中間層１８との接触面積が大きくなる。
【００６７】
その結果、第２層２２ｂと第１層２２ａとの間の界面抵抗、及び、第１層２２ａと固体電解質１６との間の界面抵抗が小さくなる。しかも、第１層２２ａは、好適には緻密なＢＳＣＦで形成されている。このため、導電率が大きい。なお、第１層２２ａがＬＳＣＦ又はＬＳＣからなる場合においても同様の結果が得られる。
【００６８】
その上、中間層１８におけるＺｒの拡散量が４０原子％以下に抑制されているので、中間層１８と第１層２２ａとの間に高抵抗の反応生成物層が形成されることが回避される。勿論、中間層１８が介装されているために、第１層２２ａと固体電解質１６との相互反応が起こって反応生成物層が形成されることも防止される。
【００６９】
以上のことが相俟って、ＭＥＡ１０の電圧降下が小さくなる。従って、ＳＯＦＣを大電流密度で放電する場合においても、比較的大きな放電電圧を得ることができる。
【００７０】
次に、本実施の形態に係るＭＥＡ１０の製造方法につき説明する。
【００７１】
ＡＳＣであるＭＥＡ１０を得るためには、はじめに、アノード側電極１２を形成する。この場合、例えば、ＮｉＯ粒子とＹＳＺ粒子とが体積比で１：１の割合で混合された混合粒子と、ポリビニルブチラール系やアクリル系等のバインダと、ＰＭＭＡ樹脂やカーボン等の造孔材とを添加することでペーストを調製する。なお、この調製に際しては、シート状成形体として形成されたアノード側電極１２の焼成処理に伴う収縮率が所定の範囲内となるように、ＮｉＯ粒子及びＹＳＺ粒子として所定の粒径、ＢＥＴ比表面積を有するものが選定されるとともに、バインダの添加量が設定される。
【００７２】
例えば、ＮｉＯ粒子の粒径、ＢＥＴ比表面積が１〜２μｍ、６〜９ｍ２／ｇであり、ＹＳＺ粒子の粒径、ＢＥＴ比表面積が０．５〜３μｍ、４〜８ｍ２／ｇであるときには、バインダの添加割合を４０〜６５体積％とすることが好ましい。この場合、焼成処理に伴うアノード側電極１２の収縮率を８〜３０％に制御することができる。
【００７３】
次に、上記のように調製したペーストを用い、ドクターブレード法によってシート状成形体としてのアノード側電極１２を形成する。このシート状成形体の厚みは、ホットプレス等による圧着、及び焼成処理を経た後のアノード側電極１２の厚みが好適には２００〜８００μｍとなるように設定される。焼成処理後の厚みが２００μｍよりも小さいと、支持基板としての強度が十分でなくなるとともに、該アノード側電極１２に供給された燃料ガスが拡散することが容易でなくなる。一方、８００μｍよりも大きいと、ＭＥＡ１０の積層方向（厚み方向）寸法が大きくなってしまい、このためにＳＯＦＣが大型化してしまう。また、ＳＯＦＣの運転時にアノード側電極１２の厚み方向に沿う燃料ガスの流通距離が長くなることから、この厚み方向に沿う燃料ガスのリーク量が増加する懸念がある。
【００７４】
その後、必要に応じ、アノード側電極１２に対して脱脂処理を行う。この脱脂処理によって造孔材が消失し、その消失跡に、造孔材の平均粒径に応じた径の閉気孔及び開気孔が形成される。なお、脱脂処理を行わない場合には、焼成処理時に造孔材が消失する。
【００７５】
この時点では、アノード側電極１２はＮｉＯ−ＹＳＺからなる。
【００７６】
その一方で、固体電解質１６及び中間層１８の出発材料であるペーストを調製する。固体電解質１６のペーストは、８ＹＳＺの粉末を上記したようなバインダとともに溶媒に添加して調製することができ、中間層１８のペーストは、１０〜２０ＳＤＣの粉末を上記したようなバインダとともに溶媒に添加して調製することができる。
【００７７】
その後、例えば、ドクターブレード法によって固体電解質１６のシート状成形体を成形する。なお、ドクターブレード法に代え、押出し成形法やロール塗工法等を行うことによっても、所望の厚みの各シート状成形体を形成することが可能である。
【００７８】
次に、このシート状成形体（すなわち、固体電解質１６）をアノード側電極１２に積層する。その後、ホットプレス等によって圧着を行うことにより、アノード側電極１２及び固体電解質１６からなる積層体が得られる。
【００７９】
次に、この積層体に対して焼成処理を施す。この際の温度は、例えば、１１００〜１４００℃に設定すればよい。この焼成処理により、アノード側電極１２及び固体電解質１６が熱収縮を起こす。
【００８０】
本実施の形態では、シート状成形体を積層した後、アノード側電極１２及び固体電解質１６に対して温度や圧力を付与することで互いを圧着するようにしている。これにより隣接する層同士が堅牢に密着し合うので、焼成処理時に層同士の剥離が生じ難くなる。
【００８１】
次に、前記積層体の固体電解質１６上に、中間層１８のペーストをスクリーン印刷によって塗布する。これにより、アノード側電極１２、固体電解質１６及び中間層１８のペーストからなる積層体が得られる。
【００８２】
又は、中間層１８を形成し得る素材からなるターゲットを用いてスパッタリングを行い、これにより、アノード側電極１２及び固体電解質１６からなる積層体の固体電解質１６上に中間層１８を形成するようにしてもよい。
【００８３】
次に、アノード側電極１２、固体電解質１６及び中間層１８の積層体に対して焼成処理を施す。この際の温度は、例えば、上記と同様に１１００〜１４００℃に設定すればよい。この焼成処理により、アノード側電極１２、固体電解質１６及び中間層１８が熱収縮を起こす。
【００８４】
上記の温度範囲では、アノード側電極１２及び固体電解質１６は良好に緻密化するが、ＣｅＯ２系酸化物等のような難焼結性物質からなる中間層１８は、容易には緻密化しない。従って、中間層１８は、図２に示すように気孔２０が多く存在する多孔質体となる。
【００８５】
また、上記したような温度範囲では、固体電解質１６に含まれるＺｒが中間層１８に拡散することが回避される。すなわち、中間層１８に含まれるＺｒを４０原子％以下に抑制することができる。
【００８６】
次に、このようにして得られた積層体の中間層１８上に、カソード側電極１４を積層する。
【００８７】
すなわち、第１層２２ａ、第２層２２ｂの出発材料となるペーストを各々調製する。例えば、第１層２２ａ、第２層２２ｂのペーストは、それぞれ、ＢＳＣＦ、ＬＳＣＦの粉末を上記したようなバインダとともに溶媒に添加して調製することができる。
【００８８】
なお、第１層２２ａとして緻密なものを得るべく、ＢＳＣＦの粉末としては、例えば、ＢＥＴ比表面積が大きなもの等の易焼結性のものが選定される。焼結を促進し得るＢＳＣＦ粉末の好ましいＢＥＴ比表面積は、２０〜３５ｍ２／ｇである。
【００８９】
そして、第１層２２ａとなるペーストを、スクリーン印刷法によって中間層１８上に印刷する。ここで、第１層２２ａの厚みは、スクリーンメッシュ板の厚みに対応する。すなわち、スクリーンメッシュ板としては、所望の厚みの第１層２２ａが得られる厚みのものが選定される。この印刷に際し、余剰のペーストが中間層１８の端面で開口した前記気孔２０を充填する。
【００９０】
その後、焼成処理を施す。この焼成処理に際しては、１００〜２００℃／時間の昇温速度で昇温した後、８００〜１１００℃で１〜４時間保持を行えばよい。その後は、常温に到達するまで自然放冷する。この過程で、凹部２４が形成される。
【００９１】
次に、第２層２２ｂとなるペーストを上記に準拠して第１層２２ａ上に印刷する。この印刷により、余剰のペーストが第１層２２ａの端面で開口した気孔、すなわち、凹部２４を充填する。
【００９２】
その後、焼成処理を施す。この焼成処理に際しても、第１層２２ａと同様に、１００〜２００℃／時間の昇温速度で昇温した後、８００〜１１００℃で１〜４時間保持を行い、さらに、常温に到達するまで自然放冷すればよい。これにより、第１層２２ａ及び第２層２２ｂを有するカソード側電極１４を含むＭＥＡ１０が得られるに至る。
【００９３】
なお、上述のアノード側電極１２、固体電解質１６及び中間層１８を同時に焼成処理し、次に、カソード側電極１４をスクリーン印刷等によって形成した後に乾燥・焼成処理を施すことに代替して、アノード側電極１２及び固体電解質１６を同時に焼成処理し、次に、中間層１８をスクリーン印刷等によって形成して焼成処理を行い、さらに、カソード側電極１４をスクリーン印刷等によって形成した後に乾燥・焼成処理を施すようにしてもよい。
【００９４】
本発明は、上記した実施の形態に限定されるものではなく、本発明の主旨を逸脱しない範囲で種々の変更が可能である。
【００９５】
例えば、アノード側電極１２と固体電解質１６との間にも中間層を介装するようにしてもよい。この中間層は、多孔質体であるアノード側電極１２における固体電解質１６に臨む側の凹凸を充填ないし充填することで平坦化する役割を果たす。すなわち、この中間層は、平坦化層として機能する。
【００９６】
また、図４に示すように、固体電解質１６を基板として作製される電解質支持型（ＥＳＣ）のＭＥＡ３０であってもよい。この場合、ＭＥＡ３０を構成する層の中では、固体電解質１６の厚みが最大となる。固体電解質１６の好適な厚みは、７０〜１００μｍ程度である。
【００９７】
ＥＳＣであるＭＥＡを作製する場合には、固体電解質１６の一端面にアノード側電極１２を設けるとともに、残余の一端面に中間層１８、カソード側電極１４をこの順序で設ければよい。勿論、カソード側電極１４は、第１層２２ａ及び第２層２２ｂを有する積層体として形成される。なお、ＥＳＣにおいては、アノード側電極１２の厚みは概ね５０〜１００μｍ程度、好適には９０μｍ程度に設定される。
【００９８】
また、上記の製造方法は、シート体を作製する場合を例示して説明しているが、特にこれに限定されるものではない。例えば、アノード側電極１２ないし固体電解質１６を任意の公知手法で形成した後、プリント、ＣＶＤ法ないしＰＶＤ法等による製膜、スピンコーティング等によるコーティング、ディップ等によって残余の層を設けるようにしてもよい。
【００９９】
さらに、第２層上に第３層を積層するようにしてもよい。この場合、第３層としては、電子拡散機能を営むものが好適である。すなわち、第３層を電子拡散層として形成することが好ましい。
【０１００】
このような機能を営む第３層の材質としては、ＳＯＦＣの運転温度において、カソード側電極をなす物質に比して電子伝導度が大きく、且つ酸素を還元することが可能な物質が選定される。この物質の好適な例としては、希土類元素Ａ、遷移金属元素Ｃ、及び酸素Ｏを含有し、組成式がＡＣＯ３で表される複合酸化物を挙げることができる。
【０１０１】
希土類元素Ａの好適な例としては、Ｌａ、Ｓｍ、Ｎｄ、Ｐｒの群から選択された少なくともいずれか１種を挙げることができ、一方、遷移金属元素Ｃの好適な例としては、Ｃｏ、Ｆｅ、Ｎｉ、Ｃｒ、Ｍｎ、Ｇａの群から選択された少なくともいずれか１種を挙げることができる。具体的な一例としては、ＬａＣｏＯ３が挙げられる。
【０１０２】
又は、ＬＳＣＦやＬＳＣ等で第３層を構成するようにしてもよい。
【０１０３】
そして、中間層１８は、シート状成形体から形成されたものであってもよい。このようなシート状成形体は、固体電解質１６と同様に、ペーストを用いてドクターブレード法等の適切な成形方法を実施することで得ることができる。
【０１０４】
このようにしてシート状成形体から形成された中間層１８を具備するＭＥＡ１０においても、従来技術に係るＭＥＡに比して十分に優れた電気的特性が発現する。
【実施例１】
【０１０５】
上記に従い、ＮｉＯ−ＹＳＺからなる厚み１００μｍのシート状成形体、８ＹＳＺからなる厚み１０μｍのシート状成形体をそれぞれ作製した後、この順序で積層して焼成処理を行うことによって、アノード側電極と固体電解質の積層体を得た。さらに、スパッタリングを行うことによって、前記積層体における固体電解質上に中間層を形成し、その後、焼成処理を施して焼結体とした。このときの中間層の厚みは０．２μｍ、上記式（１）によって求められたＺｒの拡散量は８原子％であった。
【０１０６】
その一方で、一次粒子が２０〜８０ｎｍで且つ二次粒子が０．１〜０．２μｍであるＢａ０．５Ｓｒ０．５Ｃｏ０．８Ｆｅ０．２Ｏ３の粉末をＢＳＣＦとして含む第１ペーストと、平均粒径が０．７μｍであるＬａ０．５Ｓｒ０．５ＣｏＯ３の粉末をＬＳＣとして含む第２ペーストとを調製した。
【０１０７】
この中の第１ペーストをスクリーン印刷によって中間層上に印刷した。これを乾燥した後に９００℃で焼成処理を施して、厚み５μｍ、相対密度９７％（気孔率３％）、面積率７８％の第１層を得た。
【０１０８】
次に、第１層上に第２ペーストをスクリーン印刷によって印刷した。これを乾燥した後に９００℃で焼成処理を施して、厚み１０μｍ、気孔率２５％の第２層を得た。これにより、前記第１層及び前記第２層からなるカソード側電極を具備するＭＥＡを得た。このＭＥＡにおける第１層と第２層の実接触界面Ｌ１の長さは、仮想境界線Ｌ２の長さの１５０％であった。これを実施例１とする。
【実施例２】
【０１０９】
中間層として、厚みが１〜３μｍ、Ｚｒの拡散量が２０原子％であるものを、前記積層体の固体電解質上にスクリーン印刷で形成した後、焼成処理を施して、上記と同一物性の第１層及び第２層を具備するカソード側電極を含むＭＥＡを得た。これを実施例２とする。
【実施例３】
【０１１０】
中間層として、厚みが１〜３μｍ、Ｚｒの拡散量が３７原子％であるものを形成した以外は実施例１と同様にして、上記と同一物性の第１層及び第２層を具備するカソード側電極を含むＭＥＡを得た。これを実施例３とする。
【実施例４】
【０１１１】
厚みが１〜３μｍ、Ｚｒの拡散量が２０原子％であるものを中間層として形成し、且つ第１層と第２層の実接触界面Ｌ１の長さが仮想境界線Ｌ２の長さの１６５％であるＭＥＡを得た。これを実施例４とする。
【０１１２】
なお、仮想境界線Ｌ２の長さに対する実接触界面Ｌ１の長さは、第１層及び第２層の焼成処理温度を変更することで調整した。
【比較例１】
【０１１３】
実施例２と同一物性の中間層を形成するとともに、第２層を設けることなくＭＥＡを作製した。すなわち、カソード側電極を、前記第１ペーストを用いて形成された第１層のみで構成した。これを比較例１とする。
【比較例２】
【０１１４】
実施例２と同一物性の中間層を形成するとともに、第１層を設けることなくＭＥＡを作製した。すなわち、カソード側電極を、前記第２ペーストを用いて形成された第２層のみで構成した。これを比較例２とする。
【比較例３】
【０１１５】
Ｚｒの拡散量が６５原子％である中間層上に、実施例１と同一物性の第１層及び第２層からなるカソード側電極を形成してＭＥＡを作製した。これを比較例３とする。
【０１１６】
なお、中間層におけるＺｒの拡散量は、中間層の焼成処理温度を変更することで調整した。
【比較例４】
【０１１７】
実施例２と同一物性の中間層を形成するとともに、第１層と第２層の実接触界面Ｌ１の長さが仮想境界線Ｌ２の長さの２５０％であるＭＥＡを得た。これを比較例４とする。なお、仮想境界線Ｌ２の長さに対する実接触界面Ｌ１の長さは、上記と同様に、第１層及び第２層の焼成処理温度を変更することで調整した。
【０１１８】
以上の実施例１〜４、比較例１〜４のＭＥＡにおける中間層、第１層及び第２層の物性を併せて図５に示す。ここで、図５中の「長さ比」は、実接触界面Ｌ１の長さを仮想境界線Ｌ２で除すことによって求められた商を１００倍して算出された値である。
【０１１９】
これら実施例１〜４、比較例１〜４のＭＥＡを用いて単位セルを構成し、電流密度を種々変更しながら放電することで、電流密度と放電電圧との関係を調べた。この中、実施例２、３及び比較例１、２、４の各ＭＥＡの電流密度−放電電圧曲線を図６に示す。
【０１２０】
図６から諒解されるように、実施例２、３のＭＥＡの双方において、比較例１、２、４のＭＥＡよりも高い電圧を示した。このことは、実施例２、３のＭＥＡが、比較例１、２、４のＭＥＡに比して大電流密度で放電することが可能なものであることを意味する。
【０１２１】
なお、図示はしていないものの、実施例１、４のＭＥＡも比較例１、２、４のＭＥＡに比して高電圧を示した。
【０１２２】
また、図７及び図８は、実施例２及び比較例２、４のＭＥＡのコール−コールプロットである。これら図７及び図８から、実施例２のＭＥＡにおける複素インピーダンスが小さいこと、換言すれば、優れた導電率を示すことが分かる。
【０１２３】
図９に、図１０に示されるコール−コールプロットの第１部分、第２部分及び第３部分の各々における複素インピーダンス、及びその合計値を示す。なお、第１部分、第２部分及び第３部分の各々は、ＩＲ損失（バルク抵抗）、比ＩＲ損（界面抵抗等）、ＭＥＡ全体の抵抗を表す。
【０１２４】
この図９からも、実施例１〜４のＭＥＡが、複素インピーダンスが小さく、優れた導電率を示すものであることが明らかである。
【符号の説明】
【０１２５】
１０、３０…電解質・電極接合体（ＭＥＡ）    １２…アノード側電極
１４…カソード側電極                        １６…固体電解質
１８…中間層                                ２０…気孔
２２ａ…第１層                              ２２ｂ…第２層
２４…凹部                                  ２６…凸部
【図１】
0005543320.tif 000002
【図２】
0005543320.tif 000003
【図３】
0005543320.tif 000004
【図４】
0005543320.tif 000005
【図５】
0005543320.tif 000006
【図６】
0005543320.tif 000007
【図７】
0005543320.tif 000008
【図８】
0005543320.tif 000009
【図９】
0005543320.tif 000010
【図１０】
0005543320.tif 000011